(57)【要約】      （修正有）【課題】使用者それぞれの鼻の根元の様々な形状構造に鼻当てを最適に適合させることが可能な眼鏡フレームの鼻当てのためのインサートを提供する。【解決手段】柔軟な鼻当て２のための剛性のインサート１であって、前記鼻当てに部分的に埋め込まれる軸部４を備えるインサートにおいて、前記軸部の自由端が、二つの互いに反対向きの第１の半球状の側面６ｂと、二つの互いに反対向きの第２の平坦な側面７ａとを画定する、平面視において矩形状のものであり、前記軸部が、相補的形状のパッドホルダと接続可能であり、パッドホルダは、眼鏡フレームのフレームに取り付けられると共に、１対の第１の側壁１１ａ、１１ｂを有し、前記１対の第１の側壁は、摩擦制御された状態で、前記二つの互いに反対向きの第１の半球状の側面に枢支される。【選択図】図５
0003222963.tif 000002
【実用新案登録請求の範囲】
【請求項１】
柔軟なパッド又は鼻当て（２）のための剛性のインサート（１）であって、前記パッド又は鼻当て（２）に部分的に埋め込まれる軸部（４）を備えるインサート（１）において、
前記軸部（４）の自由端は、二つの互いに反対向きの第１の半球状の側面（６ａ、６ｂ）と、二つの互いに反対向きの第２の平坦な側面（７ａ、７ｂ）とを画定する、平面視において矩形状のものであり、
前記軸部（４）は、相補的形状のパッドホルダ（８）と接続可能であり、前記パッドホルダは、眼鏡フレームのフレームに取り付けられると共に、１対の第１の側壁（１１ａ、１１ｂ）を有し、前記１対の第１の側壁（１１ａ、１１ｂ）は、摩擦制御された状態で、前記二つの互いに反対向きの第１の半球状の側面（６ａ、６ｂ）に枢支されることを特徴とする、インサート（１）。
【請求項２】
当該インサート（１）は平坦状の付属部（３）を備え、
前記付属部（３）は、平面視において楕円状の形状を有し、又は鼻当て（２）の形状に類似しているが寸法がより小さい形状を有し、前記付属部（３）は鼻当て（２）に埋め込まれており、
前記軸部（４）は前記付属部（３）から前記鼻当て（２）の外側に突出し、前記軸部（４）の自由端（５）は、平面視において矩形状である形状を有し、前記矩形状である形状は、前記二つの互いに反対向きの第１の半球状の側面（６ａ、６ｂ）と、前記二つの互いに反対向きの第２の平坦な側面（７ａ、７ｂ）とを画定し、前記軸部（４）は、前記相補的形状のパッドホルダ（８）と接続可能であることを特徴とする、請求項１に記載のインサート（１）。
【請求項３】
前記パッドホルダ（８）は、後壁（９）を画定するために、平面視において矩形状である形状を有する開いたサブフレームによって構成され、前記後壁（９）はワイヤ（１０）によって前記眼鏡フレームの前記フレームに接続され、前記後壁（９）からは、１対の側壁（１１ａ、１１ｂ）が分岐し、前記１対の側壁（１１ａ、１１ｂ）は１対の前側付属部（１２ａ、１２ｂ）に接続し、前記前側付属部（１２ａ、１２ｂ）は、その自由端が互いに対向した状態で、同じ面に配置されていることを特徴とする、請求項２に記載のインサート（１）。
【請求項４】
前記パッドホルダ（８）は開いた形状構造を有し、該形状構造において、前記１対の前側付属部（１２ａ、１２ｂ）の互いに対向する自由端間で遊びが許容され、それによって前記軸部（４）との摩擦制御された接続を得ることができるようになっていることを特徴とする、請求項３に記載のインサート（１）。
【請求項５】
前記後壁（９）の内側の側面１３と、前記１対の前側付属部（１２ａ、１２ｂ）の内側の側面（１４ａ、１４ｂ）とは、前記互いに反対向きの第２の平坦な側面（７ａ、７ｂ）と相補的形状をなし、前記第２の平坦な側面（７ａ、７ｂ）の方向に向いていることを特徴とする、請求項４に記載のインサート（１）。
【請求項６】
前記１対の側壁（１１ａ、１１ｂ）の内側の側面（１５ａ、１５ｂ）は、前記互いに反対向きの第１の半球状の側面（６ａ、６ｂ）と相補的形状をなし、前記第１の半球状の側面（６ａ、６ｂ）と接する状態で配置されていることを特徴とする、請求項４に記載のインサート（１）。
【請求項７】
前記１対の側壁（１１ａ、１１ｂ）の内側の側面（１５ａ、１５ｂ）は、前記互いに反対向きの第１の半球状の側面（６ａ、６ｂ）と相補的形状をなし、前記第１の半球状の側面（６ａ、６ｂ）と接する状態で配置されているため、高い変位因子をもって多方向に前記鼻当て（２）を動作させることができる摩擦制御された接続を得ることができるようになっていることを特徴とする、請求項１〜６のいずれか一項に記載のインサート（１）。
【請求項８】
１対の前側付属部（１２ａ、１２ｂ）の互いに対向する自由端は、前記パッドホルダ（８）と前記軸部（４）との間の接続を維持した状態で、前記鼻当て（２）に与えられる所望の動きに基づいて前記自由端間の距離を変える変形を受けることを特徴とする、請求項１〜７のいずれか一項に記載のインサート（１）。
【考案の詳細な説明】
【技術分野】
【０００１】
本考案は、眼鏡フレームのパッド又は鼻当てのためのインサートに関する。
【背景技術】
【０００２】
眼鏡は通常、２本の溝線（リム）によって構成されたフレームであって、レンズを適正な位置に保持するように機能するフレームと、２本の溝線をつなぐブリッジと、ブリッジから突出する剛性のインサートによってブリッジに接続される二つの柔軟なパッド又は鼻当てと、溝線にヒンジ連結された２本のつるとからなる。
【０００３】
現在、鼻当ては、鼻の根元に快適に静止することが可能になるように、実質的に柔軟なプラスチック材料から形成され、丸い頂部が下向きになっている涙滴状の形状が与えられることが知られている。
【０００４】
鼻当てのインサートは、鼻当てを眼鏡フレームのブリッジに接続することが可能になるように、金属材料又は硬質プラスチック材料から形成されることが知られており、インサートは、金属材料又は硬質プラスチックから形成され鼻当てに埋め込まれた平坦状の付属部（ａｐｐｅｎｄａｇｅ）と、この付属部から突出する軸部（ｓｈａｎｋ）とからなる。軸部はパッドホルダに取り付けられ、パッドホルダは眼鏡フレームに取り付けられ得る。
【０００５】
鼻の根元の形状に対する適合性を向上させるために、鼻当ての揺動を可能とすべく、パッドホルダと軸部との間の接続は、通常、パッドホルダを軸部に、横方向に枢支することによって行われる。
【０００６】
しかしながら、このような従来の手段には次のような問題点がある。すなわち、鼻当ての揺動は実際には一面内に限られ、さらに、鼻当てに与えられる回転角度も限られ、そのために様々な使用者の鼻の根元の色々な形状構造に、鼻当てを最適に適合させることができない、という問題点がある。
【０００７】
また、従来の手段には、眼鏡が振り動かされた場合にパッド又は鼻当てにより異音が発せられるという問題もある。この異音は減じられたとしても、眼鏡フレームが振り動かされた場合には、従来のシステムのパッド又は鼻当てが可動であることによって、一定量の異音をまだ生じさせる。この異音は、パッドホルダの壁面に対してパッドのインサートが衝突するためである。
【０００８】
高級な眼鏡においては、このような異音は使用者にとり煩わしいものであり、購買意欲を損なうものとなる。
【考案の概要】
【考案が解決しようとする課題】
【０００９】
本考案の目標は、使用者それぞれの鼻の根元の様々な形状構造に鼻当てを最適に適合させることが可能な眼鏡フレームの鼻当てのためのインサートを提供し、それによって、前述の問題点を解消することである。
【００１０】
この目標の範囲内で、本考案の目的は、眼鏡フレームが振り動かれた場合におけるパッド又は鼻当てとパッドホルダとの間での異音を制限することのできるインサートを得ることである。
【００１１】
別の目的は、構造上簡単でかつ低コストであり、通常の従来システムによって作製することができるインサートを提供することである。
【課題を解決するための手段】
【００１２】
以下で更に明らかになるこの目標及び上記その他の目的は、眼鏡フレームの柔軟なパッド又は鼻当てのための剛性のインサートであって、次のような柔軟なパッド又は鼻当てのための剛性のインサートによって達成される。かかるインサートは、前記柔軟なパッド又は鼻当てに部分的に埋め込まれる軸部を備え、前記軸部の自由端が、二つの互いに反対向きの第１の半球状の側面と、二つの互いに反対向きの第２の平坦な側面とを画定する、平面視において略矩形（以下「矩形状」という）のものであり、前記軸部が、相補的形状のパッドホルダと接続可能であり、前記パッドホルダが、眼鏡フレームのフレームに取り付けられることができる共に、１対の第１の側壁を有し、前記１対の第１の側壁が、摩擦制御された状態で、前記二つの互いに反対向きの第１の半球状の側面に枢支されることを特徴としている。
【００１３】
本考案の更なる特徴及び利点は、添付の図面に非限定的な例として示される排他的ではないが、本考案による鼻当ての特定実施形態の詳細な説明から更に明らかになるであろう。
【図面の簡単な説明】
【００１４】
【図１】鼻当てに連結されたインサートの上方からの図である。
【図２】鼻当てに連結されたインサートの側面図である。
【図３】図１のＩＩＩ−ＩＩＩ線に沿っての断面図である。
【図４】図１のＩＶ−ＩＶ線に沿っての断面図である。
【図５】鼻当ての上方からの斜視図である。
【図６】鼻当てに連結されたインサートの上方からの図であって、鼻当てに与えられる第１の回転動作を示す図である。
【図７】鼻当てに連結されたインサートの上方からの図であって、鼻当てに与えられる第１の回転動作を示す図である。
【図８】鼻当てに連結されたインサートの上方からの図であって、鼻当てに与えられる第２の回転動作を示す図である。
【図９】鼻当てに連結されたインサートの側面図であって、鼻当てに与えられる第２の回転動作を示す図である。
【図１０】鼻当てに連結されたインサートの上方からの図であって、鼻当てに与えられる第２の回転動作を示す図である。
【図１１】鼻当てに連結されたインサートの側面図であって、鼻当てに与えられる第２の回転動作を示す図である。
【図１２】鼻当てに連結されたインサートの上方からの図であって、鼻当てに与えられる第３の回転動作を示す図である。
【図１３】鼻当てに連結されたインサートの上方からの図であって、鼻当てに与えられる第３の回転動作を示す図である。
【図１４】鼻当てに連結されたインサートの側面図であって、鼻当てに与えられる第３の回転動作を示す図である。
【図１５】鼻当てに連結されたインサートの側面図であって、鼻当てに与えられる第３の回転動作を示す図である。
【図１６】鼻当てに連結されたインサートの側面図であって、鼻当てに与えられる第３の回転動作を示す図である。
【考案を実施するための形態】
【００１５】
以下に示す実施形態では、特有の例に関連して示す個々の特徴は、実際には、他の実施形態に存在する他の異なる特徴と置き換えることができる。
【００１６】
図を参照すると、参照番号１は、全体として、実質上金属材料又は硬質プラスチックから形成された剛性のインサートを指し、インサートは、涙滴状の柔軟なパッド又は鼻当て２に連結することができる。
【００１７】
インサート１は、平坦状の付属部３を備え、付属部３は、好ましくは、平面視において楕円状の形状、又は鼻当て２の形状に類似しているが、寸法がより小さくされた形状を有しており、鼻当て２に埋設されている。
【００１８】
付属部３から鼻当て２の外側に軸部４が突出し、そのような軸部の自由端５は、平面視において矩形状である形状を有し、二つの互いに反対向きの第１の半球状の側面６ａ、６ｂと、二つの互いに反対向きの第２の平坦な側面７ａ、７ｂとを画定している。
【００１９】
軸部４は、相補的形状のパッドホルダ８に接続され得る。このパッドホルダ８は、後壁９を画定するよう、平面視において矩形状である形状を有する開いたサブフレームによって構成されている。後壁９はワイヤ１０によって眼鏡フレームのフレームに接続され、後壁９からは、１対の側壁１１ａ、１１ｂが分岐し、それらは１対の前側付属部１２ａ、１２ｂに接続し、これらの前側付属部１２ａ、１２ｂは、自由端が互いに対向した状態で、同じ面に位置している。
【００２０】
したがって、パッドホルダ８は、閉じていない開いた形状構造を有し、その構造においては、１対の前側付属部１２ａ、１２ｂの互いに対向する自由端間で、ある程度の遊びが許容され、それによって、摩擦制御された軸部４との接続を達成することができる。
【００２１】
後壁９の内側の側面１３と、１対の前側付属部１２ａ、１２ｂの内側の側面１４ａ、１４ｂとは、互いに反対向きの第２の平坦な側面７ａ、７ｂと相補的形状をなし、これらの第２の側面７ａ、７ｂの方向に向いている。
【００２２】
１対の側壁１１ａ、１１ｂの内側の側面１５ａ、１５ｂは、互いに反対向きの第１の半球状の側面６ａ、６ｂとは相補的形状をなし、これらの第１の側面６ａ、６ｂと接するように配置されている。
【００２３】
作用については次の通りである。インサートは、互いに反対向きの第１の半球状の側面６ａ、６ｂと相補的形状をなしこれらの第１の側面６ａ、６ｂと接するように配置されている前記１対の側壁１１ａ、１１ｂの内側の側面１５ａ、１５ｂを有しているので、図６〜図１６に示されるように、従来達成し得たものを大幅に超える高い変位因子をもって多方向に鼻当て２を動作させることができる摩擦制御された接続が得られる。
【００２４】
１対の前側付属部１２ａ、１２ｂの互いに対向する自由端は、実際に、パッドホルダ８と軸部４との間の接続を維持した状態で、鼻当てに与えられる所望の動きに基づいて、自由端間の距離を変えることができる。
【００２５】
したがって、鼻当て２は、異なる方向及び異なる面内において可動であり、同時に、パッドホルダ８から脱落することもない。
【００２６】
例えば図６及び図７に示される回動は概ね８度とすることができ、例えば図８〜図１１に示される回動は概ね１２度とすることができ、図１２〜図１６に示される回動は概ね８度前後とすることができる。
【００２７】
したがって、本考案は、意図した目標及び目的を完全に実現し、パッドホルダに対する鼻当ての位置に関して広い調整範囲が得られることによって、各使用者の鼻の根元の様々な形状構造に鼻当てを最適に適合させることができる、眼鏡フレームの鼻当て２のためのインサート１が得られることが分かった。
【００２８】
さらに、本インサートは、眼鏡フレームが振り動かされた場合に、パッド又は鼻当てとパッドホルダとの間の異音を制限することができる。
【００２９】
最後に、本インサートは、構造的により一層シンプルであり、廉価であり、一般に知られたシステムを適用することができる。
【００３０】
本考案は、多数の修正及び変更の余地があり、それらの修正及び変更はすべて、添付の実用新案登録請求の範囲の範囲内である。
【００３１】
当然ながら、本考案の個々の構成要素の使用される材料並びに寸法は、特有の要件に応じてより関連性を有することがある。
【００３２】
有利かどうかで、或いは都合がよいかどうかで、上述した特徴はまた、削除されても、同等の特徴によって置き換えられてもよい。
【符号の説明】
【００３３】
１…インサート、２…鼻当て（パッド）、３…付属部、４…軸部、５…自由端、８…パッドホルダ、９…後壁、１０…ワイヤ、１１ａ、１１ｂ…側壁、１２ａ，１２ｂ…前側付属部。
【図１】
0003222963.tif 000003
【図２】
0003222963.tif 000004
【図３】
0003222963.tif 000005
【図４】
0003222963.tif 000006
【図５】
0003222963.tif 000007
【図６】
0003222963.tif 000008
【図７】
0003222963.tif 000009
【図８】
0003222963.tif 000010
【図９】
0003222963.tif 000011
【図１０】
0003222963.tif 000012
【図１１】
0003222963.tif 000013
【図１２】
0003222963.tif 000014
【図１３】
0003222963.tif 000015
【図１４】
0003222963.tif 000016
【図１５】
0003222963.tif 000017
【図１６】
0003222963.tif 000018